(57)【要約】【課題】    従来、ソフトコンタクトレンズ取り外し器具は、取り扱いが簡単とは言えず本当に衛生的とは言えず、また取扱いも容易とは言い難かった。また、最近の若者は、付け爪をしてネールアートを施し、爪を伸ばしている者が多くいる。爪を伸ばしている者が、ソフトコンタクトレンズを脱着や装着する際にソフトコンタクトレンズを破損させたり、ソフトコンタクトレンズをうまく装着したり脱着することができなく、また不潔でもあった。更には、角膜を傷つけたりしてしまうと言う問題が生じていた。【解決手段】    上記課題を解決するために、手持ち軸上端部の先端に粘着材料を接合させて、従来のようにソフトコンタクトレンズを外部から取り外し器具を目に押さえ付けてつかみ取るのに対し、目を押さえつけることなく粘着材料にソフトコンタクトレンズを粘着もしくは吸着させてつかみ取るようにしたコンタクトレンズ着脱器具を提供することにある。【選択図】図５
2012130638.tif 000002
【特許請求の範囲】
【請求項１】
持ち手軸上端部の先端に粘着性材料を設け、持ち手軸下端部の底部に凹端部を設けてなることを特徴とするコンタクトレンズ着脱器具。
【請求項２】
手持ち軸の中間位置上位より上端部にかけ徐々に緩やかに曲がっていることを特徴とする請求項１に記載のコンタクトレンズ着脱器具。
【請求項３】
手持ち軸上端部と下端部が対応して緩やかにコの字状に曲がっていることを特徴とする請求項１又は請求項２に記載のコンタクトレンズ着脱器具。
【請求項４】
手持ち軸上端部と下端部が相対して緩やかにＳの字状に曲がっていることを特徴とする請求項１又は請求項２に記載のコンタクトレンズ着脱器具。
【請求項５】
持ち手軸が中間位置下位付近より上端部に向け二股に分かれピンセット状をなし、上端部に向うに従い徐々に広がりをなす構造を呈することを特徴とする請求項１から請求項４に記載のコンタクトレンズ着脱器具。
【請求項６】
持ち手軸が中間位置下位付近より上端部に向け二股に分かれピンセット状をなし、その上端部の最上位部の開きが６ｍｍから１２ｍｍの開きを呈することを特徴とする請求項１から請求項４に記載のコンタクトレンズ着脱器具。
【請求項７】
持ち手軸の下端部は、コンタクトレンズを載せて落ちないほどの凹端部を設けてなる請求項１から請求項４に記載のコンタクトレンズ着脱器具。
【請求項８】
手持ち軸、上端部及び下端部がプラスチックなどの樹脂素材を用いたことを特徴とする請求項１から請求項４記載のコンタクトレンズ着脱器具。
【請求項９】
手持ち軸上端部の先端に設けられた粘着性材料が粘着性シリコンゲルまたは粘着性シリコンジェルであることを特徴とする請求項１から請求項４記載のコンタクトレンズ着脱器具。
【発明の詳細な説明】
【技術分野】
【０００１】    本発明は、目へのコンタクトレンズの着脱を容易に清潔にまた角膜を傷つけることなく安心してコンタクトレンズの着脱を行うことができるコンタクトレンズ着脱器具に関するものである。
【背景技術】
【０００２】    例えば、眼球からソフトコンタクトレンズを取り外す際に綿棒を使った物がある。この発明によれば、ソフトコンタクトレンズを取り外す際に、綿棒を顔の頬に沿わせて綿棒を眼球に近づけて綿棒を目に入れ、ソフトコンタクトレンズを掴み取るという提案がなされている。
【先行技術文献】
【特許文献】
【０００３】
【特許文献１】特開２０１０−９１７５８号公報
【発明の概要】
【発明が解決しようとする課題】
【０００４】    しかしながら、特許文献１のソフトコンタクトレンズ取り外し器具は、ソフトコンタクトレンズを取り付ける際にいちいち綿棒を取り付けなくてはならず大変面倒であった。又、誤って、綿棒の綿が目の中に入り込んでしまうなどの問題も生じていた。また、最近の若者は、付け爪をしてネールアートを施し、爪を伸ばしている者が多くいる。爪を伸ばしている者が、ソフトコンタクトレンズを脱着や装着する際にソフトコンタクトレンズを破損させたり、ソフトコンタクトレンズをうまく装着したり脱着したりすることができなく、また不潔でもある。更には、角膜を傷つけたりしてしまうと言う問題が発生していた。【０００５】    そこで、本発明の目的は、手持ち軸上端部の先端に粘着性材料（例えば、粘着性シリコンゲルや粘着性シリコンジェル）を接合させて、従来のようにソフトコンタクトレンズを外部から取り外し器具を眼に押さえ付けてつかみ取るのに対し、目を押さえつけることなく粘着性材料にソフトコンタクトレンズを粘着もしくは吸着させてつかみ取るようにし、従来の不具合を解消したコンタクトレンズ着脱器具を提供することにある。
【課題を解決するための手段】
【０００６】    上記の課題を解決するために。本発明は、持ち手軸上端部の先端に粘着性材料を設け、持ち手軸下端部の底部に凹端部を設けてなるコンタクトレンズ着脱器具である。
更には、手持ち軸の中間位置上位より上端部にかけ徐々に緩やかに曲がっているコンタクトレンズ着脱器具である。
更には、手持ち軸上端部と下端部が対応して緩やかにコの字状に曲がっているコンタクトレンズ着脱器具である。
更には、手持ち軸上端部と下端部が相対して緩やかにＳの字状に曲がっているコンタクトレンズ着脱器具である。
更には、持ち手軸が中間位置下位付近より上端部に向け二股に分かれピンセット状をなし、上端部に向うに従い徐々に広がりをなすことを呈するコンタクトレンズ着脱器具である。
更には、持ち手軸が中間位置下位付近より上端部に向け二股に分かれピンセット状をなし、その先端部の最上位部の開きが６ｍｍから１２ｍｍの開きを呈するコンタクトレンズ着脱器具である。
更には、持ち手軸の下端部は、コンタクトレンズを載せて落ちないほどの凹端部を設けてなるコンタクトレンズ着脱器具である。
更には、手持ち軸、上端部及び下端部がプラスチックなどの樹脂素材を用いているコンタクトレンズ着脱器具である。
更には、手持ち軸上端部の先端に設けられた粘着性材料が粘着性シリコンゲルまたは粘着性シリコンジェルであるコンタクトレンズ着脱器具である。
【発明の効果】
【０００７】    本発明のコンタクトレンズ着脱器具によれば、持ち手軸上端部の先端に粘着性材料を接合させているので、目に圧迫をかけることなく、しかも容易に清潔でコンタクトレンズを着脱できる。また、手持ち軸下端部の底部には、コンタクトレンズが入り込み固定されるほどの凹端部を設けているので、簡単、容易にまた清潔にコンタクトレンズを目に装着することができる。
【図面の簡単な説明】
【０００８】
【図１】本発明の第１実施例に係る右横から見た右側面図。
【図２】本発明に係る図１の拡大図の箇所を示す右側面図。
【図３】第１実施例に係る図１を粘着材料側から見た粘着材料拡大図。
【図４】第１実施例に係る図１を底面から見た底部拡大図。
【図５】第２実施例に係る正面図。
【図６】第２実施例に係る縦断面の左断面図。
【図７】第２実施例に係る拡大部を示した図。
【図８】第２実施例に係る上端部の上端部拡大図。
【図９】第２実施例に係る別仕様の上端部を示した上端部拡大図。
【図１０】第３実施例に係る右横から見た右側面図。
【図１１】第３実施例に係る底部の拡大部を示した図。
【図１２】第３実施例に係る底部を拡大した下端部拡大図。
【図１３】本発明の第４実施例に係る右横から見た右側面図。
【発明を実施するための形態】
【０００９】        本発明は、特にソフトコンタクトレンズを容易に、また衛生的に角膜を損傷することもなく簡単に、ソフトコンタクトレンズ着脱を行えるように、手持ち軸上端部の先端に粘着性材料を接合して用い、ソフトコンタウトレンズ等が目に付加を掛けることなく外せるようにした。また、ソフトコンタクトレンズを持ち手軸下端部の底部に凹端部を設けソフトコンタクトレンズを容易に、また衛生的で角膜へ弊害を与えることなく装着できるようにしたコンタクトレンズ着脱器具とした。
【実施例１】
【００１０】    以下、本発明に係る第１実施例を図面を用いて説明する。
図１は、本発明の第１実施例に係る右横から見た右側面図である。
図２は、本発明に係る図１の拡大図の箇所を示す右側面図である。
図３は、第１実施例に係る図１を粘着材料側から見た粘着材料拡大図である。
図４は、第１実施例に係る図１を底面から見た底部拡大図である。【００１１】    実施例１は、手持ち軸部１、上端部２、粘着材料３、下端部４および凹端部５から構成されている。
図１に示すように、手持ち軸１が中間部上位より上端部２にかけて徐々に緩やかに曲がった形状をしている。上端部２の先端部には、粘着性材料３が接合または接着あるいは嵌合されている。好ましくは、嵌合が好ましい。
粘着材料３は、ソフトコンタクトレンズに自然な様態で接着あるいは吸着し、目に押し当てるような様態でソフトコンタクトレンズと粘着材料３を粘着や吸着させるものではない。それゆえ粘着材料３は、ソフトコンタクトレンズが自然に粘着材料３にソフトコンタクトレンズ自らが接着や吸着に起因してくるシリコンゲルやシリコンジェルなどが好ましい。更に、下端部に設けられている凹端部は、ソフトコンタクトレンズの湾曲面が自然な形状で埋め込まれるほどの凹端部形状をなしている。これにより、ソフトコンタクトレンズを手でつかんで目に入れ込む不潔さを避け、目に付けやすくなることを兼ね備え、更には、目に押し付けることもないので、目への角膜損傷までも回避することができる。【００１２】    図２は、本発明に係る図１の拡大図の箇所を示す右側面図である。図２に基づいて説明する。図２は、上端部２に接合されている粘着材料３をＡ−Ａ方向から見た粘着部材部の取り付け説明図でもある。また、下端部の凹端部を下端部のＢ−Ｂ方向から図示するための図１の拡大図の箇所を示す右側面図でもある。
図２のＡ−Ａ方向から見た拡大図を図３に示す。
図３は、第１実施例に係る図１を粘着部材側から見た粘着部材拡大図である。図３の１０ａは、手持ち軸部１から延びた上端部２の先端に粘着部材３を取り付けた拡大図であり、図３の１０ａは、上端部２が円柱であったときに正方形の粘着材料３を接合した模式図である。この図３の１０ａにこだわることなく、上端部２を四角形状に製作し、その上に四角い粘着材料を接合して上端部２と粘着材料３が隙間無く密着させるのが好ましい。【００１３】    次に、図３の１０ｂは、手持ち軸部１から延びた上端部２の粘着部材３を取り付けた拡大図であり、図３の１０ｂは、上端部２が円柱であったときに円形の粘着材料３を接合した模式図である。この図３の１０ｂでは、上端部２より幾分か粘着材料が中にいっているが、この図にこだわることなく、上端部２を円形状に製作したものであるなら、その上に円形に粘着材料３を接合して上端部２と粘着材料３が隙間無く密着させるのが好ましい。【００１４】    図４は、第１実施例に係る図１を底面から見た底部拡大図である。
記号４は、下端部を示し、記号５は凹端部を示している。
下端部４に延びる底面の凹端部５は、ソフトコンタクトレンズを凹端部５に乗せて目に装着する器具である。これにより、ソフトコンタクトレンズを手持ち軸１下端部４の底部に凹端部５を設けソフトコンタクトレンズを容易に、また衛生的で角膜へ弊害を与えることなく装着できるようにしたコンタクトレンズ着脱器具とした。図４において、その凹端部５は、ほとんどのソフトコンタクトレンズのｒが７．８ｍｍから９．０ｍｍであることから、凹端部５から飛び出すように構成したほうが望ましい。その理由から凹端部の深さは、２．０ｍｍから５．０ｍｍを呈している構成としたほうが好ましい。また凹端部５の直径は、ほとんどのソフトコンタクトレンズの直径が１３ｍｍから１４．５ｍｍ程度であることから、ほとんどのソフトコンタクトレンズが凹端部５からはみ出すように直径７．０ｍｍから１０ｍｍ程度とすることが望ましい。
【第２実施例】
【００１５】    以下、本発明に係る第２実施例を図面に基づいて説明する。
図５は、第２実施例に係る正面図である。
図６は、第２実施例に係る縦断面の左断面図である。
図７は、第２実施例に係る拡大部を示した図である。
図８は、第２実施例に係る上端部の上端部拡大図である。
図９は、第２実施例に係る別仕様の上端部を示した上端部拡大図である。
実施例２は、持ち手軸部１、上端部２ａ、２ｂ、粘着材料３ａ、３ｂ、および凹端部５、中心線Ｃから構成されている。
図５において、右側面図は、実施例１の図１と同等である。
図５の実施例２では、実施例１の手持ち軸１から上端部２およぶ下端部４が一本の軸から構成されていたが、第２実施例の図５では、手持ち部１の中間付近を境にして二股に割れておりピンセット状の形状を構成している。
手持ち軸部１の右軸１ａは実施例１と同様に上端部２ａに向かうほどに緩やかに曲がって、上端部２ａの先端には、粘着材料３ａが接合されている。同様に、手持ち軸部１の左軸１ｂは実施例１と同様に上端部２ｂに向かうほどに緩やかに曲がって、上端部２ｂの先端には、粘着材料３ｂが接合されている。
【００１６】    この図５の中心軸Ｃから切断した図をＡＡ方向から切断面を図６において見てみる。図６は、第２実施例に係る縦断面の左断面図である。図６において実施例２を説明すると、手持ち軸１ａ、１ｂ及び上部の上端部２ａ、２ｂと粘着材料３ａ３ｂを中心線Ｃから切断された断面６が現れた断面図である。再度ＡＢ方向から見た図を図７に示す。図７は、第２実施例に係る拡大部を示した図である。また、図７は、図のＡＢ方向から見た図である。
図７においては、緩やかに曲がった上端部２ａ、２ｂと粘着材料３ａ、３ｂを２０ａ、２０ｂの上方向から見た図を示すために描いた図である。
図８の２０ａにおいて、図８は、第２実施例に係る上端部の上部拡大図である。図７を上方向から見ると、緩やかに曲がった上端部２ａ、２ｂに粘着材料３ａ、３ｂが接合されている。前記したが、上端部２ａ、２ｂに粘着材料３ａ、３ｂが上端部２ａ、２ｂの内側に僅か入っているのは、図面を書く上で２ａ、２ｂと３ａ、３ｂを認識させる都合上のためであり、上端部２ａ、２ｂと粘着材料３ａ、３ｂが同端偏にあった方が好ましい。
【００１７】    次に図９について説明する。図９は、第２実施例に係る別仕様の上端部を示した上部拡大図である。図８と同様、図９においては、緩やかに曲がった上端部２ａ、２ｂと粘着材料３ａ、３ｂを２０ａ、２０ｂの上方向から見た図を示すために描いた図である。
図９の２０ｂにおいて、図７を上方向から見ると、緩やかに曲がった上端部２ａ、２ｂに粘着材料３ａ、３ｂが接合されている。前記したが、上端部２ａ、２ｂに粘着材料３ａ、３ｂが上端部２ａ、２ｂの内側に四画い粘着材料３ａ、３ｂが僅か入り込んでいる、図面を書く上で上端部２ａ、２ｂと粘着材料３ａ、３ｂを認識させる都合上のためであり、上端部２ａ、２ｂを四角形として製作し、粘着材料３ａ、３ｂが上端部２ａ、２ｂの四角形と同端偏にあるような構成で製作した方が好ましいのは言うまでも無い、この図９の場合、上端部２ａ、２ｂを円形で製作してある条件で、粘着材料３ａ３ｂを四角形で接合した場合のことを視覚的に摸して図示したまでであり、上端部２ａ、２ｂを四角形で製作し、粘着材料３ａ、３ｂを同端偏に接合した方がより好ましい。
【実施例３】
【００１８】    以下、本発明に係る第３実施例を図面に基づいて説明する。
図１０は、第３実施例に係る右横から見た右側面図である。
図１１は、第３実施例に係る凹端部３０ａの拡大部を示した図である。
図１２は、第３実施例に係る凹端部を拡大した拡大図である。
第３実施例は、手持ち軸１を中心として、ほぼ対象に上端部２および下端部４が緩やかな形状で略コの字状に曲がっている。手持ち軸１の上端部２の先端には、粘着材料３が接合されている。また、手持ち部１の下端部４には凹端部５が設けられており、上端部２に接合している粘着材料３でソフトコンタクトレンズを脱着する。また、手持ち部１の下端部４の凹端部５においてソフトコンタクトレンズを装着可能のような構造となっている。
実施例３もまた、実施例２で示したように上端部２が二股に分かれてピンセット状の構造にしても差し支えない、もしくは尚好ましい。
図１１の３０ａは、実施例３の下端部４の凹端部５の拡大図を示すための図である。Ｄ−Ｄ方向から見た凹端部５を示すための図である。
図１２は、第３実施例に係る凹端部を拡大した拡大図である。また、図１１の３０ａの凹端部５の拡大図を示す図である。下端部４より僅かにラッパ状に広がった凹端部５は、前記したようにほとんどのソフトコンタクトッレンズのｒが７．８ｍｍから９．０ｍｍであることから、凹端部５から飛び出すように構成したほうが望ましい。その理由から凹端部５の深さは、２．０ｍｍから５．０ｍｍを呈している構成とした方が好ましい。また凹端部５の直径は、ほとんどのソフトコンタクトレンズの直径が１３ｍｍから１４．５ｍｍであることから、ほとんどのソフトコンタクトレンズが凹端部５に入るように直径７．０ｍｍから１０ｍｍ程度とすることが望ましい。
【実施例４】
【００１９】    以下、本発明に係る第４実施例を図面に基づいて説明する。
図１３は、本発明の第４実施例に係る右横から見た右側面図である。
第４実施例は、手持ち軸１を中心として、ほぼ反対称に上端部２および下端部４が穏やかな形状で略Ｓの字状に曲がっている。手持ち部１の上端部２の先端には、粘着材料３が接合されている。また、手持ち部１の下端部４には凹端部５が設けられており、上端部２に接合している粘着材料３でソフトコンタクトレンズを脱着する。また、手持ち部１で上端部２と反対方向に向いて延びる下端部４の凹端部５においてソフトコンタクトレンズを装着可能のような構造となっている。
実施例４もまた、実施例２で示したように上端部２が二股に分かれてピンセット状の構造にしても差し支えない、もしくは尚好ましい。
ここで、前記したように上端部２の端部に接合されている粘着材料３は、ソフトコンタクトレンズを取り外す際に、目に負担を掛けず、衛生的に、角膜に損傷を与えることなく容易に着脱するために、ソフトコンタクトレンズに触れるだけで粘着材料３に粘着もしくは吸着される粘着材料３が好ましい。例えば、シリコンゲルやシリコンジェルが好ましく、水分への耐水性があればより好ましい。また、ピンセット状の構造にした場合、粘着材料３にソフトコンタクトレンズが粘着材料３に吸い付いたところをピンセット状の先端でつまむことによってより的確にソフトコンタクトレンズを目から取り外すことが出来るようになる。
【符号の説明】
【００２０】    １              手持ち軸
２              上端部
３              粘着材料
４              下端部
５              凹端部
６              軸断面
【図１】
2012130638.tif 000003
【図２】
2012130638.tif 000004
【図３】
2012130638.tif 000005
【図４】
2012130638.tif 000006
【図５】
2012130638.tif 000007
【図６】
2012130638.tif 000008
【図７】
2012130638.tif 000009
【図８】
2012130638.tif 000010
【図９】
2012130638.tif 000011
【図１０】
2012130638.tif 000012
【図１１】
2012130638.tif 000013
【図１２】
2012130638.tif 000014
【図１３】
2012130638.tif 000015
【手続補正書】
【提出日】平成24年4月4日(2012.4.4)
【手続補正１】
【補正対象書類名】特許請求の範囲
【補正対象項目名】全文
【補正方法】変更
【補正の内容】
【特許請求の範囲】
【請求項１】
コンタクトレンズの着脱を容易かつ清潔に行うためのコンタクトレンズ着脱器具であって、
手持ち軸と、
当該コンタクトレンズ着脱器具の一端に位置し、二股形状である上端部と、
当該コンタクトレンズ着脱器具の他端に位置し、一角形状である下端部と、を備え、
前記上端部の両先端が、前記コンタクトレンズを粘着させるための粘着性部材を備え、
前記下端部の先端が、先の広がったラッパ型の外形状であるラッパ型部材を備え、
前記ラッパ型部材の先端が、前記コンタクトレンズの湾曲面が自然な形状で埋め込まれるほどに窪んだ形状である開口部を備え、
前記手持ち軸から前記上端部へ掛けての形状及び前記手持ち軸から前記下端部へ掛けての形状が、弓なりに曲がった形状であり、
前記開口部が、前記手持ち軸から前記下端部へ掛けての弓なりに曲がった方向を向いており、
前記上端部両端の前記粘着性部材に眼球上の前記コンタクトレンズを粘着させて、前記眼球上のコンタクトレンズを取り外し、
眼球に接する面を外側に向けて前記開口部に載置させた前記コンタクトレンズを眼球上に取り付けることを特徴とするコンタクトレンズ着脱器具。
【請求項２】
前記眼球上のコンタクトレンズを取り外す場合、前記上端部両端の粘着性部材に前記眼球上のコンタクトレンズを粘着させると共に、前記上端部で前記眼球上のコンタクトレンズを掴み取ることを特徴とする請求項１に記載のコンタクトレンズ着脱器具。
【請求項３】
前記粘着性部材が、粘着性シリコンゲル又は粘着性シリコンジェルを材料とすることを特徴とする請求項１又は２に記載のコンタクトレンズ着脱器具。